(57)【要約】      （修正有）【課題】記念日にプレゼントとして購入し易く贈呈し易い動物のぬいぐるみを提供する。【解決手段】顔部１と胴体部２とを備えた手の平サイズで携帯可能な動物のぬいぐるみにおいて、この顔部には左右に耳部１１、１１がある。そして耳部１１、１１の少なくとも一方に、糸の縫い目が目立たないようにボタン３が縫い付けてある。ボタン３の余白部分には、誕生日等の記念日を印字したタグ４が着脱自在に取り付けてある。【選択図】図１
0003170411.tif 000002
【実用新案登録請求の範囲】
【請求項１】
顔部と胴体部とを備えた携帯可能なサイズを有する動物のぬいぐるみにおいて、
上記顔部は耳部を有し、この耳部の少なくとも一方にボタンが設けてあり、
上記ボタンには、記念日を印字したタグが着脱自在に取り付けてある
ことを特徴とする動物のぬいぐるみ。
【請求項２】
上記タグの幅は上記ボタンの幅より狭く、このタグの一端の長手方向にボタンホールが設けてある
ことを特徴とする請求項１に記載の動物のぬいぐるみ。
【考案の詳細な説明】
【技術分野】
【０００１】
本考案は、記念日のプレゼントとして贈呈する動物のぬいぐるみに関し、特に記念日を印字したタグを耳部に取り付けた動物のぬいぐるみに関する。
【背景技術】
【０００２】
従来からお祝い事や記念日には動物のぬいぐるみをプレゼントして贈呈することがある。この場合、市販されている動物のぬいぐるみは商品としての価値を有するものの、プレゼントとしての独自性を見出し難い。すなわち高価なぬいぐるみを贈呈しても、これのみでは相手に気持ちが伝わり難く物足りない。したがって購入者は、相手に伝えたいメッセージや日付等を記載したカードを動物のぬいぐるみに添えることにより、プレゼントとしての独自性を持たせていた。しかしカードはぬいぐるみと別々に保管するため、紛失し易く記憶にも残り難い。
【０００３】
そこで誕生日や出生時刻等のメモリアル内容を足の裏に施したり、この内容を刺繍付けしたベストやリボンを装着させたりするオーダーメイドのメモリアル用ぬいぐるみが提案されている。（例えば特許文献１。）。このぬいぐるみは誕生時の体重及び身長を忠実に反映することにより、プレゼントとしての独自性を高めたものである。
【先行技術文献】
【特許文献】
【０００４】
【特許文献１】特開２００２−３６０９４９号公報
【考案の概要】
【考案が解決しようとする課題】
【０００５】
しかしながら上述した従来におけるメモリアル用ぬいぐるみは、購入者から注文を受けて希望のメモリアル内容を事前に聞かなければ製造できない。すなわちこのぬいぐるみは受注生産により在庫管理し難く、店舗等で気軽に購入し難い。またこのぬいぐるみは受注に応じてメモリアル内容を足の裏やリボン等に施さなければならず、製造工程が複雑になる。さらにこのぬいぐるみは相手の誕生時のサイズを有するため、贈呈用のぬいぐるみとしては大きめで製造コストが嵩む。
【０００６】
また貰った相手はこのぬいぐるみが落下しないように机やテーブル等に置いて保管する広めのスペースを確保しなければならないばかりでなく、持ち運びし難いため次第に愛着が薄れてしまう恐れがある。
【０００７】
そこで本考案の第一の目的は、記念日にプレゼントとして購入し易く贈呈し易い動物のぬいぐるみを提供することにある。まだ第二の目的は、持ち主が長い間愛着を持ち続けることができる動物のぬいぐるみを提供することにある。
【課題を解決するための手段】
【０００８】
上記課題を解決するために、本考案による動物のぬいぐるみの特徴は、耳部に設けてあるボタンに記念日を印字したタグを着脱自在に取り付けてあることにある。
【０００９】
すなわち本考案は、顔部と胴体部とを備えた携帯可能なサイズを有する動物のぬいぐるみにおいて、上記顔部は耳部を有し、この耳部の少なくとも一方にボタンが設けてあり、上記ボタンには、記念日を印字したタグが着脱自在に取り付けてある。
【００１０】
ところでタグが大きすぎるとボタンとのバランスが崩れて見場が悪い。またタグに印字した記念日が小さすぎると見え難く、プレゼントとしての独自性が落ちる。そこで上記タグの幅は上記ボタンの幅より狭く、このタグの一端の長手方向にボタンホールが設けてあることが望ましい。これによりタグのサイズとボタンのサイズとのバランスが釣り合うと共に、記念日を印字する余白を広くすることができる。
【００１１】
ここで「動物」は、例えば、クマ、イヌ、ネコ、ライオン、キツネ、タヌキ、キリン、ウサギ、ネズミ、ウシ、トラ、ウマ、ヒツジ、サル、ゾウ、及びヒト、並びにこれらをモチーフにして創造したキャラクターが該当する。「携帯可能なサイズ」とは、手の平に乗せたり片手で容易に持ち上げたりすることができる程度のものを意味し、寸法に限定はない。
【００１２】
「ボタン」とは、例えば中央部分にある複数の穴に糸を通して生地に縫い付けるものに限らず、裏側の突起部分に開いた孔に糸を通して生地に縫い付けるものやいわゆるスナップボタンが該当する。「ボタン」の形状は、円形に限らず矩形、三角形、楕円形、及び星型が該当する。「ボタン」のサイズは、耳部より小さいものが好ましく、寸法に限定はない。
【００１３】
「記念日」は、例えば誕生日、婚約記念日、結婚記念日、入学した日、及び卒業した日等の個人的なイベントに限らず、正月、クリスマス、父の日、及び母の日等の国民的なイベントが該当する。また「記念日」として印字する内容は、月日にかぎらず年、曜日、時、分、及び秒が該当し、これらは数字のみならず英字や漢字で表記してもよい。
【００１４】
「タグ」は、例えばキルト製、レザー製、ビニール製、及び布製のものが該当する。「タグ」の形状は、矩形、三角形、円形、及び楕円形、並びにこれらをリボン状に施したものが該当する。「タグが着脱自在に取り付けてある」とは、このタグにボタンホールやスナップボタンの突起を通す開口が設けてあって取り外しが自由に行えることを意味する。「タグ」のサイズは、このタグの幅がボタンの幅より狭いものが好ましく、寸法に限定はない。
【考案の効果】
【００１５】
本考案における動物のぬいぐるみは、耳部に設けてあるボタンに記念日が印字してあるタグが着脱自在に取り付けてあることにより、場所を問わず誰でも容易にこのタグを付け外しすることができる。すなわちぬいぐるみを製造した後、店舗等で在庫として管理しているタグを取り付けて販売することができる。したがって購入者は所望のタグを事前に発注する手間が掛からないため、ぬいぐるみを購入し易いばかりでなく、独自性のあるプレゼントとして贈呈し易い。さらに別の記念日を印字したタグのみを、付け替え用として購入したり贈呈したりすることができる。
【００１６】
さらにこのぬいぐるみは携帯可能なサイズを有することにより、保管するスペースが不要でどこにでも持ち運びすることができる。したがって持ち主はこのぬいぐるみをぶら下げて飾ったりアクセサリーにしたりすることができるため、愛着を持ち続けることができる。また別の記念日が印字してあるタグに付け替えれば、ぬいぐるみを新たに購入したような気持ちにすることができる。
【００１７】
またタグの幅はボタンの幅より狭く、このタグの一端の長手方向にボタンホールが設けてあることにより、タグのサイズとボタンのサイズとのバランスが釣り合うと共に、記念日を印字する余白を広くすることができる。したがってぬいぐるみ全体のバランスを整えて見場を良くすることができると共に、購入者が希望する記念日を見易い大きさに印字することができるため、プレゼントとしての独自性が向上する。
【図面の簡単な説明】
【００１８】
【図１】クマのぬいぐるみの正面図である。
【図２】ボタン及びタグの正面図及び側面図である。
【図３】クマのぬいぐるみの飾り方の一例を示す図である。
【考案を実施するための形態】
【００１９】
図１〜図３を参照しつつ、本考案による動物のぬいぐるみの構成及び作用効果を説明する。
【００２０】
さて図１は、リボン状に施した矩形のタグを耳部のボタンに取り付けたクマのぬいぐるみを示す。図１に示すとおり、このクマのぬいぐるみは、顔部１と胴体部２とを備え、片手でも携帯可能なサイズを有する。顔部１は上方の左右両端に耳部１１、１１を有し、この耳部の少なくとも一方に円形のボタン３が設けてある。ボタン３には、記念日としてこのクマのぬいぐるみをプレゼントする相手の誕生日が印字してある厚手の布製のタグ４が着脱自在に取り付けてある。
【００２１】
詳細には、このクマのぬいぐるみのサイズは、高さ１６０ｍｍ、幅７０ｍｍで、手の平に容易に乗せることができる。顔部１の幅は約６０ｍｍで、耳部１１、１１の幅は、それぞれ約２５ｍｍある。実物のクマの耳部とは異なり、顔部１のサイズに対して耳部１１、１１を大きめにしてある。
【００２２】
なお顔部１及び胴体部２には、布製の生地の内側に綿等が充填されている。また顔部１は耳部１１、１１の他に、頭部、目部、鼻部、口部、及び首部をそれぞれ有する。胴体部２は、胴部並びに左右の腕部及び脚部をそれぞれ有する。顔部１の首部の前面にはリボン、背面にはキーホルダー用のチェーンがそれぞれ設けてある。この腕部の手の部分には磁石が設けてあり、磁力で両手をくっ付けたり壁にクマのぬいぐるみを張り付けたりすることができる。顔部１及び胴体部２の配色に限定はなく、例えば茶色、ピンク色、水色、薄黄色、薄紫色、薄橙色、薄灰色、白色、及び肌色を用いてカラーバリエーションを構成してもよい。
【００２３】
図２は、耳部に取り付ける前のボタンとタグとをそれぞれ示す。図１及び図２（Ａ）に示すとおり、ボタン３は耳部１１より小さく、このボタンの中央には４つの小さな孔が開いている。詳細には、ボタン３のサイズは、表面の幅１８ｍｍ、裏面の幅１０ｍｍ、厚さ３ｍｍで、これらの孔を介して左側の耳部１１の中央付近に糸で縫い付けてある。
【００２４】
なおボタン３は、耳部１１の表面の生地のみに縫い付けてあり、糸がこの耳部を貫通していない。このため糸の縫い目や結び目はこの生地の裏側に隠れている。またボタン３の表面の外縁部分には、ぬいぐるみの名前のみならず販売場所等を印字してもよい。
【００２５】
さらに図１及び図２（Ｂ）に示すとおり、タグ４の幅はボタン３の幅より狭く、このタグの一端の長手方向にボタンホール４１が設けてある。詳細には、タグ４のサイズは、高さ４２ｍｍ、幅１４ｍｍ、厚さ１ｍで、下端部から約２ｍｍ上にボタンホールト４１が真っ直ぐに設けてある。ボタンホール４１とは逆側の余白には、見易い大きさの誕生月日が数字及び英字で二段併記に印字されている。
【００２６】
なおタグ４はボタンホール４１からボタン３を通して取り付けてあり、引っ張ったり捻ったりしただけでは取り外しできない。タグ４の向きは、ボタン３を縫い付けた糸を中心に回動するため、容易に変更できる。またボタンホール４１の両端及び中央には略円形の小さな開口が設けてある。これによりタグ４はボタン３に複数回付け外しし易いばかりでなく、このタグに亀裂が生じ難い。タグ４に印字する記念日は、二段併記に限らず一段でもよく、縦書きでも横書きでもよい。
【００２７】
このように、耳部１１に糸で縫い付けてあるボタン３に誕生日が印字してあるタグ４が着脱自在に取り付けてあることにより、場所を問わず誰でも容易にこのタグを付け外しすることができる。例えばぬいぐるみを販売する各店舗にて、購入者がこのクマのぬいぐるみをプレゼントする相手の誕生日が印字してあるタグを注文し、店員がその場で耳部１１に取り付けることができる。したがって購入者は所望のタグを事前に発注する手間が掛からないため、このぬいぐるみを購入し易いばかりでなく、独自性のあるプレゼントとして贈呈し易い。
【００２８】
さらにこのぬいぐるみは携帯可能なサイズを有することにより、保管するスペースが不要でどこにでも持ち運びすることができる。したがって持ち主はこのぬいぐるみをぶら下げて飾ったりアクセサリーにしたりすることができるため、愛着を持ち続けることができる。また例えばこのぬいぐるみの持ち主は、古いタグ４と別の記念日が印字してある新たなタグとを付け替えれば、ぬいぐるみを新たに購入したような気持ちにすることができる。
【００２９】
さらにタグ４の幅はボタン３の幅より狭く、このタグの一端の長手方向にボタンホール４１が設けてあることにより、タグ４のサイズとボタン３のサイズとのバランスが釣り合うと共に、誕生日を印字する余白を広くすることができる。したがってぬいぐるみ全体のバランスを整えて見場を良くすることができると共に、購入者が希望する誕生月日を見易い大きさに印字することができるため、プレゼントとしての独自性が向上する。
【００３０】
図３は、ボタンホールが開いているものにクマのぬいぐるみをぶら下げた状態を示す。同図に示すとおり、ボタン３をボタンホールに掛けてからタグ４を取り付けることにより、クマのぬいぐるみをぶら下げて飾ることができる。このようにボタン３は固定具として利用すれば、ぬいぐるみの保管スペースを確保する手間が省ける。なお洋服のボタンホールにボタン３を掛ければ、このぬいぐるみを個性的なアクセサリーとして用いることができる。
【産業上の利用可能性】
【００３１】
本考案における動物のぬいぐるみは、顔部及び胴体部を備えた動物に限らず、ひれや尾を備えた魚のぬいぐるみに関する産業に広く利用可能である。
【符号の説明】
【００３２】
１          顔部
１１        耳部
２          胴体部
３          ボタン
４          タグ
４１        ボタンホール
【図１】
0003170411.tif 000003
【図２】
0003170411.tif 000004
【図３】
0003170411.tif 000005